(57)【要約】【課題】個々の細い信号線に強い張力が作用しないようにして、信号線や半田付け部が優れた耐久性を有する電子内視鏡の信号ケーブル接続構造を提供すること。【解決手段】挿入部１の先端内に配置された固体撮像素子５の後側に隣接して配置された回路基板６に、挿入部１内に挿通配置された信号ケーブル７内の複数のシールド線１１，１２，１３，１４の先端部分が接続された電子内視鏡の信号ケーブル接続構造において、複数のシールド線１１，１２，１３，１４の中の少なくとも二本のシールド線１１，１２／１３，１４のシールド１１ｃ，１２ｃ／１３ｃ，１４ｃどうしを先端で撚り合わせたシールド撚り合わせ部１１１２，１３１４を二組形成し、そのように形成された二組のシールド撚り合わせ部１１１２，１３１４を、回路基板６の幅方向の中心線Ｘを挟んでその両側に振り分けて回路基板６に固着した。【選択図】      図１
2005230404.tif 000002
【特許請求の範囲】
【請求項１】
挿入部の先端内に配置された固体撮像素子の後側に隣接して配置された回路基板に、上記挿入部内に挿通配置された信号ケーブル内の複数のシールド線の先端部分が接続された電子内視鏡の信号ケーブル接続構造において、
上記複数のシールド線の中の少なくとも二本のシールド線のシールドどうしを先端で撚り合わせたシールド撚り合わせ部を二組形成し、そのように形成された二組のシールド撚り合わせ部を、上記回路基板の幅方向の中心線を挟んでその両側に振り分けて上記回路基板に固着したことを特徴とする電子内視鏡の信号ケーブル接続構造。
【請求項２】
上記二組のシールド撚り合わせ部が、上記回路基板の幅方向の中心線を挟んで略対称の位置において上記回路基板に固着されている請求項１記載の電子内視鏡の信号ケーブル接続構造。
【発明の詳細な説明】
【技術分野】
【０００１】
この発明は電子内視鏡の信号ケーブル接続構造に関する。
【背景技術】
【０００２】
電子内視鏡においては、挿入部の先端内に配置された固体撮像素子の後側に隣接して配置された回路基板に、挿入部内に挿通配置された信号ケーブル内の複数のシールド線の先端部分が半田付け等により接続されている（例えば、特許文献１）。
【特許文献１】特開平１−１６１６０２
【発明の開示】
【発明が解決しようとする課題】
【０００３】
内視鏡の挿入部は、人体内に挿入されるという特殊性から極力細く形成する必要がある。したがって、その内部に挿通配置される信号線も極めて細いものが用いられる。
そのため、複数のシールド線の先端部分が回路基板に単純に半田付け接続された従来の電子内視鏡の信号ケーブル接続構造においては、内視鏡の挿入部が不規則な方向に繰り返し屈曲されて信号線に大きな張力がかかることにより、信号線や半田付け部分等が破損してしまう場合があった。
【０００４】
そこで本発明は、個々の細い信号線に強い張力が作用しないようにして、信号線や半田付け部が優れた耐久性を有する電子内視鏡の信号ケーブル接続構造を提供することを目的とする。
【課題を解決するための手段】
【０００５】
上記の目的を達成するため、本発明の電子内視鏡の信号ケーブル接続構造は、挿入部の先端内に配置された固体撮像素子の後側に隣接して配置された回路基板に、挿入部内に挿通配置された信号ケーブル内の複数のシールド線の先端部分が接続された電子内視鏡の信号ケーブル接続構造において、複数のシールド線の中の少なくとも二本のシールド線のシールドどうしを先端で撚り合わせたシールド撚り合わせ部を二組形成し、そのように形成された二組のシールド撚り合わせ部を、回路基板の幅方向の中心線を挟んでその両側に振り分けて回路基板に固着したものである。
【０００６】
なお、二組のシールド撚り合わせ部が、回路基板の幅方向の中心線を挟んで略対称の位置において回路基板に固着されていると、回路基板に対する張力の作用が左右均一になる。
【発明の効果】
【０００７】
本発明によれば、二組のシールド撚り合わせ部を、回路基板の幅方向の中心線を挟んでその両側に振り分けて回路基板に固着したことにより、個々の細い信号線に強い張力が作用しないので、信号線や半田付け部が優れた耐久性を得ることができる。
【発明を実施するための最良の形態】
【０００８】
挿入部の先端内に配置された固体撮像素子の後側に隣接して配置された回路基板に、挿入部内に挿通配置された信号ケーブル内の複数のシールド線の先端部分が接続された電子内視鏡の信号ケーブル接続構造において、複数のシールド線の中の少なくとも二本のシールド線のシールドどうしを先端で撚り合わせたシールド撚り合わせ部を二組形成し、そのように形成された二組のシールド撚り合わせ部を、回路基板の幅方向の中心線を挟んで略対称の位置において回路基板に固着する。
【実施例】
【０００９】
図面を参照して本発明の実施例を説明する。
図２は電子内視鏡の挿入部１の先端寄りの部分を示しており、挿入部１の最先端位置に連結されている先端部本体２の先端面に観察窓３等が配置されている。
【００１０】
観察窓３の奥に内蔵された対物光学系４による被写体の投影位置には、先端部本体２の軸線方向に対して直交する向きに固体撮像素子５の撮像面が配置され、固体撮像素子５を保持するように固体撮像素子５の後側に隣接して配置された回路基板６の後端部には、挿入部１内に挿通配置されている信号ケーブル７の先端が接続されている。
【００１１】
図１は回路基板６部分の平面図であり、図３と図４はその右側面図と左側面図である。
固体撮像素子５の受光面には透明なカバーガラス８が固着されていて、固体撮像素子５の側面部分から後方に延出するリード５１が回路基板６側に接続固着されている。
【００１２】
この実施例の回路基板６は、固体撮像素子５の上下両側面（又は左右両側面）位置に先端が配置された硬質のリジッド基板６Ａと可撓性のあるフレキシブル基板６Ｂとを有していて、リジッド基板６Ａは固体撮像素子５に対して垂直の向きに配置され、フレキシブル基板６Ｂは後方に行くにしたがってリジッド基板６Ａに近づく方向に傾けて配置されて、両基板６Ａ，６Ｂは幅方向には位置を揃えて配置されている。
【００１３】
リジッド基板６Ａとフレキシブル基板６Ｂの間には、例えばコンデンサ、ＩＣチップ等のような電子部品６０…が配置されていて、それら電子部品６０…はリジッド基板６Ａ側に半田付け等により固着されている。
【００１４】
斜め向きに配置されているフレキシブル基板６Ｂはリジッド基板６Ａより後側が短く形成されていて、フレキシブル基板６Ｂの後端より後方に位置するリジッド基板６Ａの内側面（電子部品６０が固着されている側の面）と、フレキシブル基板６Ｂの外側面（電子部品６０に面していない方の面）とに、信号ケーブル７から延出する信号線を接続するためのランド２１，２２，２３，２４…が配置されている。
【００１５】
信号ケーブル７の先端からは多数のシールド線が延出してそれらが回路基板６に接続されており、回路基板６の幅方向の中心線Ｘより右側の半部に配置されている第１のシールド線１１と第２のシールド線１２の各々の芯線１１ａ，１２ａは、リジッド基板６Ａの右半部に設けられているランド２１，２２に半田付け等によって接続固着されている。１１ｂ，１２ｂは各芯線の被覆である。
【００１６】
第３のシールド線１３と第４のシールド線１４は、回路基板６の幅方向の中心線Ｘより左側の半部に配置されていて、第３のシールド線１３の芯線１３ａはフレキシブル基板６Ｂの左半部に設けられているランド２３に半田付け等によって接続固着され、第４のシールド線１４の芯線１４ａはリジッド基板６Ａの左半部に設けられているランド２４に半田付け等によって接続固着されている。１３ｂ，１４ｂは各芯線の被覆である。
【００１７】
そして、第１のシールド線１１のシールド１１ｃと第２のシールド線１２のシールド１２ｃとは、図５にその部分だけが図示されているように一つに撚り合わされて、図１及び図３に示されるように、そのシールド撚り合わせ部１１１２が半田等で固められて、リジッド基板６Ａの右半部の内面側後端に設けられているランド３０に半田付け等によって接続固着されている。
【００１８】
またそれと同様にして、第３のシールド線１３のシールド１３ｃと第４のシールド線１４のシールド１４ｃとが一つに撚り合わされて、図１及び図４に示されるように、そのシールド撚り合わせ部１３１４が半田で固められて、リジッド基板６Ａの中心線Ｘを挟んで右半部のランド３０と対称の位置の左半部の内面側後端に設けられているランド４０に、半田付け等によって接続固着されている。
【００１９】
このような構成により、挿入部１が不規則な方向に繰り返し屈曲されて信号ケーブル７が引っ張られた時には、強固な二組のシールド撚り合わせ部１１１２，１３１４とリジッド基板６Ａとの固着部が支えになって、個々の芯線１１ａ，１２ａ，１３ａ，１４ａ…やそれらとランド２１，２２，２３，２４…との半田付け部等に強い張力が作用しない。
【００２０】
そして、二組のシールド撚り合わせ部１１１２，１３１４が、リジッド基板６Ａの幅方向の中心線Ｘを挟んでその両側に振り分けられてリジッド基板６Ａに固着されていることにより、信号ケーブル７からの張力がリジッド基板６Ａに対して左右に分かれて作用し、回路基板６と固体撮像素子５との固着部も含めて各部を破壊するような力が作用しない。
【００２１】
さらに、二組のシールド撚り合わせ部１１１２，１３１４をリジッド基板６Ａの幅方向の中心線Ｘを挟んで略対称の位置においてリジッド基板６Ａに固着すると、信号ケーブル７からリジッド基板６Ａに作用する張力が左右均等になるので、最も優れた耐久性が得られる。
【００２２】
なお、本発明は上記実施例に限定されるものではなく、例えば撚り合わせるシールドの数が３本以上等であっても差し支えない。
【図面の簡単な説明】
【００２３】
【図１】本発明の実施例の電子内視鏡の信号ケーブル接続構造の平面図である。
【図２】本発明の実施例の電子内視鏡の挿入部の先端寄りの部分の平面図である。
【図３】本発明の実施例の電子内視鏡の信号ケーブル接続構造の右側面図である。
【図４】本発明の実施例の電子内視鏡の信号ケーブル接続構造の左側面図である。
【図５】本発明の実施例のシールド撚り合わせ部の斜視図である。
【符号の説明】
【００２４】
１  挿入部
５  固体撮像素子
６  回路基板
６Ａ  リジッド基板
６Ｂ  フレキシブル基板
７  信号ケーブル
１１，１２  １３，１４  シールド線
１１ａ，１２ａ，１３ａ，１４ａ  芯線
１１ｃ，１２ｃ，１３ｃ，１４ｃ  シールド
２１，２２，２３，２４  ランド
３０，４０  ランド
６０  電子部品
１１１２，１３１４  シールド撚り合わせ部
Ｘ  回路基板の幅方向の中心線
【図１】
2005230404.tif 000003
【図２】
2005230404.tif 000004
【図３】
2005230404.tif 000005
【図４】
2005230404.tif 000006
【図５】
2005230404.tif 000007